(57)【特許請求の範囲】
【請求項１】
公衆網に接続された構内交換機の１の回線に一対の電話機が接続された構内交換システムであって、
前記一対の電話機は、それぞれ、
前記構内交換機との間で伝送信号を送受信する交換機インタフェース・伝送信号送受信部と、
前記一対の電話機の相互間で伝送信号を送受信する電話機インタフェース・伝送信号送受信部と、
Ｂチャネルのチャネル信号を相手側の電話機のチャネル信号に乗せ替えるＢｃｈデータ乗替部とを備え、
前記一対の電話機のうち、一方の電話機が前記構内交換機に直接接続され、他方の電話機が前記一方の電話機の後段に接続され、
前記一方の電話機のＢｃｈデータ乗替部が、前記交換機インタフェース・伝送信号送受信部の信号の中で、後段に接続された前記電話機用のチャネル信号であるＢ２チャネルを、前記電話機インタフェース・伝送信号送受信部のチャネル信号であるＢ１チャネルとして乗せ替えることを特徴とする構内交換システム。
【請求項２】
前記Ｂチャネルのチャネル信号は、音声信号またはデータ信号のいずれかであることを特徴とする請求項１に記載の構内交換システム。
【請求項３】
前記一対の電話機は、それぞれ、
Ｄチャネルのチャネル信号を相手側の電話機のチャネル信号に乗せ替えるＤｃｈデータ乗替部を備え、
前記一方の電話機のＤｃｈデータ乗替部が、前記交換機インタフェース・伝送信号送受信部の信号の中で、後段に接続された前記電話機用の制御信号であるＤ２チャネルを、前記電話機インタフェース・伝送信号送受信部の制御信号であるＤ１チャネルとして乗せ替えることを特徴とする請求項２に記載の構内交換システム。
【請求項４】
前記一対の電話機は、それぞれ、
データ通信を行うパソコンとの接続インタフェースであるパソコンインタフェースと、
Ｔチャネルのチャネル信号を相手側の電話機のチャネル信号に乗せ替えるＴｃｈデータ乗替部とを備え、
前記一方の電話機のＴｃｈデータ乗替部が、前記交換機インタフェース・伝送信号送受信部の信号の中で、後段に接続された前記電話機用のデータ信号であるＴ２チャネルを、前記電話機インタフェース・伝送信号送受信部のデータ信号であるＴ１チャネルとして乗せ替えることを特徴とする請求項２に記載の構内交換システム。
【請求項５】
公衆網に接続された構内交換機の１の回線に接続された一対の電話機であって、
前記一対の電話機は、それぞれ、
前記構内交換機との間で伝送信号を送受信する交換機インタフェース・伝送信号送受信部と、
前記一対の電話機の相互間で伝送信号を送受信する電話機インタフェース・伝送信号送受信部と、
Ｂチャネルのチャネル信号を相手側の電話機のチャネル信号に乗せ替えるＢｃｈデータ乗替部とを備え、
前記一対の電話機のうち、一方の電話機が前記構内交換機に直接接続され、他方の電話機が前記一方の電話機の後段に接続され、
前記一方の電話機のＢｃｈデータ乗替部が、前記交換機インタフェース・伝送信号送受信部の信号の中で、後段に接続された前記電話機用のチャネル信号であるＢ２チャネルを、前記電話機インタフェース・伝送信号送受信部のチャネル信号であるＢ１チャネルとして乗せ替えることを特徴とする電話機。
【請求項６】
前記Ｂチャネルのチャネル信号は、音声信号またはデータ信号のいずれかであることを特徴とする請求項５に記載の電話機。
【請求項７】
前記一対の電話機は、それぞれ、
Ｄチャネルのチャネル信号を相手側の電話機のチャネル信号に乗せ替えるＤｃｈデータ乗替部を備え、
前記一方の電話機のＤｃｈデータ乗替部が、前記交換機インタフェース・伝送信号送受信部の信号の中で、後段に接続された前記電話機用の制御信号であるＤ２チャネルを、前記電話機インタフェース・伝送信号送受信部の制御信号であるＤ１チャネルとして乗せ替えることを特徴とする請求項６に記載の電話機。
【請求項８】
前記一対の電話機は、それぞれ、
データ通信を行うパソコンとの接続インタフェースであるパソコンインタフェースと、
Ｔチャネルのチャネル信号を相手側の電話機のチャネル信号に乗せ替えるＴｃｈデータ乗替部とを備え、
前記一方の電話機のＴｃｈデータ乗替部が、前記交換機インタフェース・伝送信号送受信部の信号の中で、後段に接続された前記電話機用のデータ信号であるＴ２チャネルを、前記電話機インタフェース・伝送信号送受信部のデータ信号であるＴ１チャネルとして乗せ替えることを特徴とする請求項６に記載の電話機。
【発明の詳細な説明】
【０００１】
【発明の属する技術分野】
本発明は構内交換システムに関し、特に、１の回線で一対の電話機を接続することのできる構内交換システムと、このシステムに用いられる構内交換機及び電話機に関する。
【０００２】
【従来の技術】
従来の構内交換システムは、例えば、特開昭６３ー２１４０５５号公報などに開示されている。この技術は、既存の電話機とは混信しない周波数で、通信チャネル及びデータチャネルを作る周波数多重化・分離化装置を設けることにより、既存の電話回線に電話ステーションを容易に追加できるようにしたものである。
【０００３】
また、この種の従来の一般的な構内交換システムとしては、例えば、図４のブロック図に示すような構成のものが知られている。この構内交換システムでは、公衆網１７に接続された構内交換機１に一対の電話機６ａ、６ｂが接続されている。尚、２台で構成されている一対の電話機６ａ、６ｂは同様の構成になっている。
【０００４】
構内交換機１は、局線インタフェース２とタイムスイッチ３と電話機インタフェース４とＰＢＸ制御部５とによって構成されている。そして、局線インタフェース２が公衆網１７に接続され、ＰＢＸ制御部５が構内交換機１全体を管理し、また、電話機インタフェース４が、電話機６ａ及び電話機６ｂの、それぞれの交換機インタフェース・伝送信号送受信部７と接続されている。さらに、タイムスイッチ３が、局線インタフェース２と電話機インタフェース４の音声信号を交換／接続するように構成されている。
【０００５】
また、電話機６ａは、交換機インタフェース・伝送信号送受信部７とコーデック（音声Ｄ／Ａ変換部）８と電話機制御部９と通信系回路１０とＢ１／Ｂ２切替部１３とによって構成されている。そして、電話機制御部９が電話機６ａ全体の制御を行い、コーデック（音声Ｄ／Ａ変換部）８が、音声信号のＢｃｈデータをディジタルからアナログに変換し、さらに、通話系回路１０が、アナログ変換された音声信号のレベル及びＯＮ／ＯＦＦを制御する。
【０００６】
そして、Ｂ１／Ｂ２切替部１３が、電話機インタフェース４と交換機インタフェース・伝送信号送受信部７との間の伝送信号で、自電話機６ａが音声信号としてＢ１、Ｂ２のどちらを使用するかの切り替えを行う。このとき、電話機６ａの外部からの設定によって切り替え内容は決定される。尚、電話機６ｂについても電話機６ａと同様の構成であるので説明は省略する。また、電話機インタフェース４と交換機インタフェース・伝送信号送受信部７との間の伝送信号は、音声信号Ｂ１チャネル（以下、ｃｈと記す）、音声信号Ｂ２ｃｈ及び制御信号Ｄｃｈである。
【０００７】
次に、上記従来例の動作について説明する。電話機インタフェース４の１の回線に一対の電話機６ａ、６ｂが接続され、電話機６ａは、外部からの設定により、Ｂ１／Ｂ２切替部１３の内容がＢ１ｃｈになっている。よって、交換機インタフェース・伝送信号送受信部７は、電話機インタフェース４から送られてくる信号の中でＢ１ｃｈを音声信号として取り込み、この信号をコーデック（音声Ｄ／Ａ変換部）８に送る。Ｂ１ｃｈのデータはコーデック（音声Ｄ／Ａ変換部）８でディジタルからアナログに変換され、通話系回路１０で音声信号のレベル及びＯＮ／ＯＦＦが制御され、これによって、ユーザに対して受話として聞こえる。
【０００８】
一方、電話機６ｂは、外部からの設定によりＢ１／Ｂ２切替部１３の内容がＢ２ｃｈになっている。よって、交換機インタフェース・伝送信号送受信部７は、電話機インタフェース４から送られてくる信号の中でＢ２ｃｈを音声信号として取り込み、この信号をコーデック（音声Ｄ／Ａ変換部）８に送る。Ｂ２ｃｈのデータはコーデック（音声Ｄ／Ａ変換部）８でディジタルからアナログに変換され、通話系回路１０でアナログ変換された音声信号のレベル及びＯＮ／ＯＦＦが制御され、ユーザに対して受話として聞こえる。
【０００９】
【発明が解決しようとする課題】
しかしながら、上記のような従来の構内交換システムにおいては、電話機インタフェースの１の回線に一対の電話機を接続する場合、予め使用する音声信号のチャネルを電話機側で設定しなければならず、使い勝手もよくない。
【００１０】
本発明は、このような事情に鑑みてなされたものであり、その目的は、電話機で使用する音声信号のチャネルを指定することなく、１の回線に一対の電話機を接続することのできる、優れた構内交換システムを提供することにある。
【００１１】
【課題を解決するための手段】
上記の課題を解決するために、本発明の構内交換システムは、公衆網に接続された構内交換機の１の回線に一対の電話機が接続された構内交換システムであって、一対の電話機は、それぞれ、構内交換機との間で伝送信号を送受信する交換機インタフェース・伝送信号送受信部と、一対の電話機の相互間で伝送信号を送受信する電話機インタフェース・伝送信号送受信部と、Ｂチャネルのチャネル信号を相手側の電話機のチャネル信号に乗せ替えるＢｃｈデータ乗替部とを備える。
【００１２】
そして、一対の電話機のうち、一方の電話機が構内交換機に直接接続され、他方の電話機が一方の電話機の後段に接続され、一方の電話機のＢｃｈデータ乗替部が、交換機インタフェース・伝送信号送受信部の信号の中で、後段に接続された電話機用のチャネル信号であるＢ２チャネルを、電話機インタフェース・伝送信号送受信部のチャネル信号であるＢ１チャネルとして乗せ替えることを特徴とする。尚、Ｂチャネルのチャネル信号は、音声信号またはデータ信号のいずれかである。
【００１３】
このような構成によって、構内交換機に直接接続された電話機は、交換機インタフェース・伝送信号送受信部の音声信号であるＢ１ｃｈを使用すると同時に、Ｂ２ｃｈの音声信号の内容を、Ｂｃｈデータ乗替部で、後段に接続される電話機用の送受信信号のＢ１ｃｈに乗せ替え、電話機インタフェース・伝送信号送受信部より送受信することにより、直接接続された電話機も後段に接続された電話機も、共に、Ｂ１ｃｈが使用する音声信号とすることができる。
【００１４】
すなわち、このような構成によれば、予め電話機で使用する音声信号のチャネルを指定することなく、１の回線に、同じ構成の電話機を一対として接続することが可能となり、極めて使い勝手のよい電話機の構内交換システムを構築することができる。
【００１５】
また、本発明は、前記の構内交換システムにおいて、一対の電話機は、それぞれ、Ｄチャネルのチャネル信号を相手側の電話機のチャネル信号に乗せ替えるＤｃｈデータ乗替部を備え、一方の電話機のＤｃｈデータ乗替部が、交換機インタフェース・伝送信号送受信部の信号の中で、後段に接続された電話機用の制御信号であるＤ２チャネルを、電話機インタフェース・伝送信号送受信部の制御信号であるＤ１チャネルとして乗せ替えることを特徴とする。
【００１６】
このような構成によって、構内交換機に直接接続された電話機は、交換機インタフェース・伝送信号送受信部の制御信号であるＤ１ｃｈを使用すると同時に、Ｄ２ｃｈの制御信号の内容を、Ｄｃｈデータ乗替部で、後段に接続された電話機用の送受信信号のＤ１ｃｈに乗せ替え、電話機インタフェース・伝送信号送受信部より送受信することにより、直接接続された電話機も、後段に接続された電話機も、共に、Ｄ１ｃｈが使用する制御信号とすることができる。
【００１７】
また、本発明は、前記の構内交換システムにおいて、一対の電話機は、それぞれ、データ通信を行うパソコンとの接続インタフェースであるパソコンインタフェースと、Ｔチャネルのチャネル信号を相手側の電話機のチャネル信号に乗せ替えるＴｃｈデータ乗替部とを備え、一方の電話機のＴｃｈデータ乗替部が、交換機インタフェース・伝送信号送受信部の信号の中で、後段に接続された電話機用のデータ信号であるＴ２チャネルを、電話機インタフェース・伝送信号送受信部のデータ信号であるＴ１チャネルとして乗せ替えることを特徴とする。
【００１８】
このような構成によって、構内交換機に直接接続された電話機は、交換機インタフェース・伝送信号送受信部のデータ信号であるＴ１ｃｈを使用すると同時に、Ｔ２ｃｈのデータ信号の内容を、Ｔｃｈデータ乗替部で、後段に接続された電話機用の送受信信号のＴ１ｃｈに乗せ替え、電話機インタフェース・伝送信号送受信部より送受信することにより、直接接続された電話機も、後段に接続された電話機も、共に、Ｔ１ｃｈが使用するデータ信号とすることができる。
【００２２】
また、本発明は、前記の構内交換システムを構築するための電話機単体の発明である。すなわち、本発明の電話機は、公衆網に接続された構内交換機の１の回線に接続された一対の電話機であって、一対の電話機は、それぞれ、構内交換機との間で伝送信号を送受信する交換機インタフェース・伝送信号送受信部と、一対の電話機の相互間で伝送信号を送受信する電話機インタフェース・伝送信号送受信部と、Ｂチャネルのチャネル信号を相手側の電話機のチャネル信号に乗せ替えるＢｃｈデータ乗替部とを備える。そして、一対の電話機のうち、一方の電話機が構内交換機に直接接続され、他方の電話機が一方の電話機の後段に接続され、一方の電話機のＢｃｈデータ乗替部が、交換機インタフェース・伝送信号送受信部の信号の中で、後段に接続された電話機用のチャネル信号であるＢ２チャネルを、電話機インタフェース・伝送信号送受信部のチャネル信号であるＢ１チャネルとして乗せ替えることを特徴とする。尚、Ｂチャネルのチャネル信号は、音声信号またはデータ信号のいずれかである。
【００２３】
また、本発明は、前記の電話機において、一対の電話機は、それぞれ、Ｄチャネルのチャネル信号を相手側の電話機のチャネル信号に乗せ替えるＤｃｈデータ乗替部を備え、一方の電話機のＤｃｈデータ乗替部が、交換機インタフェース・伝送信号送受信部の信号の中で、後段に接続された電話機用の制御信号であるＤ２チャネルを、電話機インタフェース・伝送信号送受信部の制御信号であるＤ１チャネルとして乗せ替えることを特徴とする。
【００２４】
さらに、本発明は、前記の電話機において、一対の電話機は、それぞれ、データ通信を行うパソコンとの接続インタフェースであるパソコンインタフェースと、Ｔチャネルのチャネル信号を相手側の電話機のチャネル信号に乗せ替えるＴｃｈデータ乗替部とを備え、一方の電話機のＴｃｈデータ乗替部が、交換機インタフェース・伝送信号送受信部の信号の中で、後段に接続された電話機用のデータ信号であるＴ２チャネルを、電話機インタフェース・伝送信号送受信部のデータ信号であるＴ１チャネルとして乗せ替えることを特徴とする。
【００２５】
【発明の実施の形態】
以下、図面を用いて、本発明の実施の形態の幾つかを詳細に説明する。図１は、本発明の第１の実施の形態における構内交換システムの概略ブロック図であり、この図を用いて第１の実施の形態を説明する。
【００２６】
第１の実施の形態では、公衆網１７に接続された構内交換機１には電話機６ａが接続され、電話機６ｂは電話機６ａの後段に直列に接続されている。尚、電話機６ａと電話機６ｂは同様の構成になっており、何れの電話機を後段とすることもできる。
【００２７】
構内交換機１の構成は図４の従来技術と同様であり、局線インタフェース２が公衆網１７に接続され、ＰＢＸ制御部５が構内交換機１全体を管理し、また、電話機インタフェース４が電話機６ａの交換機インタフェース・伝送信号送受信部７と接続されている。さらに、タイムスイッチ３が、局線インタフェース２と電話機インタフェース４の音声信号を交換／接続するように構成されている。
【００２８】
また、電話機６ａは、交換機インタフェース・伝送信号送受信部７とコーデック（音声Ｄ／Ａ変換部）８と電話機制御部９と通信系回路１０とＢｃｈデータ乗替部１１と電話機インタフェース・伝送信号送受信部１２とによって構成されている。電話機６ａにおいては、従来と同様に、電話機制御部９が電話機６ａ全体の制御を行い、コーデック（音声Ｄ／Ａ変換部）８が、音声信号のＢｃｈデータをディジタルからアナログに変換し、さらに、通話系回路１０が、アナログ変換された音声信号のレベル及びＯＮ／ＯＦＦを制御するように構成されている。
【００２９】
さらに、この実施の形態では、それぞれの電話機６ａ、６ｂには、各々、電話機インタフェース・伝送信号送受信部１２が設けられ、電話機６ａの電話機インタフェース・伝送信号送受信部１２が、後段に接続された電話機６ｂの交換機インタフェース・伝送信号送受信部７と接続されている。そして、電話機６ａの電話機インタフェース・伝送信号送受信部１２が、後段に接続された電話機６ｂの交換機インタフェース・伝送信号送受信部との間で伝送信号の送受信を行うようになっている。
【００３０】
さらに、Ｂｃｈデータ乗替部１１が設けられ、自電話機６ａの交換機インタフェース・伝送信号送受信部７の信号の中で、後段に接続された電話機６ｂ用の音声信号であるＢ２ｃｈの内容を電話機インタフェース・伝送信号送受信部１２のＢ１ｃｈに乗せ替えを行うように構成されている。
【００３１】
図１において、電話機インタフェース４の１の回線には一対の電話機６ａ、６ｂが直列に接続されている。そして、電話機６ａの交換機インタフェース・伝送信号送受信部７は、構内交換機１の電話機インタフェース４から送られてくる信号の中でＢ１ｃｈを音声信号として取り込み、この信号をコーデック（音声Ｄ／Ａ変換部）８に送る。Ｂ１ｃｈのデータはコーデック（音声Ｄ／Ａ変換部）８でディジタルからアナログに変換され、通話系回路１０で音声信号のレベル及びＯＮ／ＯＦＦが制御され、これによって、ユーザに対して受話として聞こえる。
【００３２】
また、電話機インタフェース４から送られてくる信号の中で、Ｂ２ｃｈはＢｃｈデータ乗替部１１で電話機インタフェース・伝送信号送受信部１２のＢ１ｃｈデータとして乗せ替えられ、電話機インタフェース・伝送信号送受信部１２に送られる。そして、電話機インタフェース・伝送信号送受信部１２より、Ｂ１ｃｈ信号として、後段に接続されたの電話機６ｂの交換機インタフェース・伝送信号送受信部７に送られ、電話機６ｂの受話となる。
【００３３】
以上のように、第１の実施の形態によれば、Ｂｃｈデータ乗替部１１を設けることにより、電話機インタフェース４から送られてくる信号の中で、Ｂ２ｃｈを電話機インタフェース・伝送信号送受信部１２のＢ１ｃｈとすることにより、構内交換機１に直接接続されている電話機６ａも、電話機６ａの後段に接続されている電話機６ｂも、共に、使用する音声信号は交換機インタフェース・伝送信号送受信部７のＢ１ｃｈとなる。これによって、電話機側でチャネル設定のし直しを行わなくても、１の回線で一対の電話機を動作させることができる。
【００３４】
次に、本発明の第２の実施の形態について説明する。図２は、本発明の第２の実施の形態における構内交換システムの概略ブロック図である。第２の実施の形態が上記第１の実施の形態と異なるところは、それぞれの電話機６ａ、６ｂにＤｃｈデータ乗替部１４が追加されている点である。このＤｃｈデータ乗替部１４は、交換機インタフェース・伝送信号送受信部７の信号の中で、電話機６ａの後段に接続された電話機６ｂ用の制御信号であるＤ２ｃｈを、電話機インタフェース・伝送信号送受信部１２のＤ１ｃｈとして乗せ替えるところである。
【００３５】
図２において、電話機インタフェース４の１の回線には一対の電話機６ａ、６ｂが直列に接続されている。そして、電話機６ａの交換機インタフェース・伝送信号送受信部７は、電話機インタフェース４から送られてくる信号の中でＤ１ｃｈを制御信号として取り込み、これを電話機制御部９に送る。このとき、Ｄ１ｃｈの内容は、電話機制御部９で電話機６ａの制御情報として使用される。
【００３６】
また、電話機インタフェース４から送られてくる信号の中で、Ｄ２ｃｈは、Ｄｃｈデータ乗替部１４で電話機インタフェース・伝送信号送受信部１２のＤ１ｃｈとして乗せ替えられ、電話機インタフェース・伝送信号送受信部１２に送られる。そして、そして、電話機インタフェース・伝送信号送受信部１２より、Ｄ１ｃｈ信号として、後段に接続された電話機６ｂの交換機インタフェース・伝送信号送受信部７に送られ、電話機６ｂの制御情報となる。
【００３７】
以上のように、第２の実施の形態によれば、Ｄｃｈデータ乗替部１４を設けることにより、電話機インタフェース４から送られてくる信号の中で、Ｄ２ｃｈを電話機インタフェース・伝送信号送受信部１２のＤ１ｃｈとすることにより、構内交換機１に直接接続されている電話機６ａも、電話機６ａの後段に接続されている電話機６ｂも、共に、使用する制御信号は交換機インタフェース・伝送信号送受信部７のＤ１ｃｈとなる。よって、電話機側でチャネル設定のし直しを行わなくても、１の回線で一対の電話機を動作させることができる。
【００３８】
次に、本発明の第３の実施の形態について説明する。図３は、本発明の第３の実施の形態における構内交換システムの概略ブロック図である。第３の実施の形態は、上記第１の実施の形態に対して、コーデック（音声Ｄ／Ａ変換部）８をパソコンインタフェース１５に置き換え、Ｂｃｈデータ乗替部１１をＴｃｈデータ乗替部１６に置き換えたものである。さらに、第３の実施の形態では、第１の実施の形態で設けられていた通話系回路１０は除かれている。
【００３９】
この実施の形態において、パソコンインタフェース１５は、パソコン（ＰＣ）１８との間でデータ信号を送受信するところである。また、Ｔｃｈデータ乗替部１６は、交換機インタフェース・伝送信号送受信部７の信号の中で、後段に接続された電話機６ｂ用のデータ信号であるＴ２ｃｈを、電話機インタフェース・伝送信号送受信部１２のＴ１ｃｈとして乗せ替えるところである。
【００４０】
図３において、電話機インタフェース４の１の回線には一対の電話機６ａ、６ｂが直列に接続されている。また、電話機６ａ、６ｂは、それぞれ、パソコンインタフェース１５を通してＰＣ１８と接続されている。そして、電話機６ａの交換機インタフェース・伝送信号送受信部７は、電話機インタフェース４から送られてくる信号の中でＴ１ｃｈをデータ信号として取り込み、この信号はパソコンインタフェース１５を経由してＰＣ１８に送られる。Ｔ１ｃｈの内容は、パソコンでデータ信号用のデータとして使用される。
【００４１】
また、電話機インタフェース４から送られてくる信号の中で、Ｔ２ｃｈはＴｃｈデータ乗替部１６で電話機インタフェース・伝送信号送受信部１２のＴ１ｃｈデータとして乗せ替えられ、電話機インタフェース・伝送信号送受信部１２に送られる。そして、電話機インタフェース・伝送信号送受信部１２より、Ｔ１ｃｈ信号として、後段に接続の電話機６ｂの交換機インタフェース・伝送信号送受信部７に送られ、電話機６ｂに接続されているパソコンでデータ通信用データとして使用される。
【００４２】
以上のように、第３の実施の形態によれば、Ｔｃｈデータ乗替部１６を設けることにより、電話機インタフェース４から送られてくる信号の中で、Ｔ２ｃｈを電話機インタフェース・伝送信号送受信部１２のＴ１ｃｈとすることにより、構内交換機１に直接接続されている電話機６ａも、電話機６ａの後段に接続されている電話機６ｂも、共に、使用するデータ信号は交換機インタフェース・伝送信号送受信部７のＴ１ｃｈとなる。よって、電話機側でチャネル設定のし直しを行わなくても、１の回線で一対の電話機を動作させることができる。
【００４３】
尚、以上の各実施の形態は音声信号の電話回線について説明したが、ＩＳＤＮ回線でも適用できることは言うまでもない。
【００４４】
【発明の効果】
以上説明したように、本発明の構内交換システムによれば、同じ構成の電話機を用いて、Ｂｃｈデータ乗替部を設けることにより、後段に接続された電話機用の音声信号チャネルであるＢ２ｃｈを、Ｂｃｈデータ乗替部で、後段に接続の電話機に送信する時にはＢ１ｃｈに乗せ替え送信することにより、構内交換機に直接接続されている電話機もＢ１ｃｈが使用する音声信号となり、電話機側でのＢ１／Ｂ２ｃｈの設定が必要無くなる。同様に、制御信号用のＤｃｈデータ乗替部やデータ信号用のＴｃｈデータ乗替部を設けることにより、それぞれ、制御信号やデータ信号を同一化して、直接接続の電話機と後段に接続の電話機とに使用することができる。これによって、電話機側でチャネル設定のし直しを行わなくても、１の回線に一対の電話機を接続して、これらの電話機を動作させることができる。
【図面の簡単な説明】
【図１】本発明の第１の実施の形態における構内交換システムの概略ブロック図
【図２】本発明の第２の実施の形態における構内交換システムの概略ブロック図
【図３】本発明の第３の実施の形態における構内交換システムの概略ブロック図
【図４】従来の一般的な構内交換システムの概略ブロック図
【符号の説明】
１  構内交換機
２  局線インタフェース
３  タイムスイッチ
４  電話機インタフェース
５  ＰＢＸ制御部
６  電話機
７  交換機インタフェース・伝送信号送受信部
８  コーデック（音声Ｄ／Ａ変換部）
９  電話機制御部
１０  通信系回路
１１  Ｂｃｈデータ乗替部
１２  電話機インタフェース・伝送信号送受信部
１３  Ｂ１／Ｂ２切替部
１４  Ｄｃｈデータ乗替部
１５  パソコンインタフェース
１６  Ｔｃｈデータ乗替部
１７  公衆網
１８  パソコン（ＰＣ）
【図１】
0004080646.tif 000002
【図２】
0004080646.tif 000003
【図３】
0004080646.tif 000004
【図４】
0004080646.tif 000005